(57)【要約】【課題】  スプール弁としての構成とポペット弁としての構成を併せ持っている電磁弁において、スプール・ポペット一体型弁体が本来の方向から傾くことを防止可能な電磁弁を提供すること。【解決手段】  スプール・ポペット一体型弁体１０は、ポペット弁体部４０の近傍に設けた支持用ランド部２０によってスプール・ポペット一体型弁体１０が本来の方向に対して傾くことを防止でき、ひいては、ポペット弁体部４０におけるシール性の低下を防止できる。また、支持用ランド部２０は、正三角形を基本形状とした板状体に形成され、さらにランド片２１を含む３つのランド片同士の間に間隙を設けたので、支持用ランド部２０が油路構成部材の中空部にある作動油の流れを妨げず、支持用ランド部を設けていないスプール・ポペット一体型弁体と全く同様に作用する。【選択図】  図１
2020063797.tif 000002
【特許請求の範囲】
【請求項１】
油路として形成された中空部を備えた油路構成部材と、
前記油路構成部材の前記中空部に配置されると共に、スプール部と、ポペット弁体部と、該スプール部と該ポペット弁体部とを連結すると共に該スプール部よりも径が小さくなるように形成された連結部と、該連結部の前記ポペット弁体部の近傍となる所定部位に設けられると共に、前記油路構成部材の前記中空部の内周面に当接するように形成された支持用ランド部を備えたスプール・ポペット一体型弁体を有することを特徴とする電磁弁。
【請求項２】
前記スプール・ポペット一体型弁体は、前記支持用ランド部が頂部及びその近傍を前記油路構成部材の前記中空部の前記内周面に対応するように、かつ、流体の流路となるように一部を切り欠いた略正多角形板状に形成されていることを特徴とする請求項１に記載の電磁弁。
【請求項３】
前記油路構成部材は、第１の油路構成部材と第２の油路構成部材とからなり、
前記スプール・ポペット一体型弁体は、前記ポペット弁体部が前記第１の油路構成部材の内部に配置され、前記スプール部及び前記支持用ランド部が前記第２の油路構成部材の内部に配置されていることを特徴とする請求項１又は請求項２に記載の電磁弁。
【発明の詳細な説明】
【技術分野】
【０００１】
本発明は、電磁弁に関し、特に、スプール弁としての構成とポペット弁としての構成を併せ持っている電磁弁に関する。
【背景技術】
【０００２】
スプール部とポペット弁体部との構成を併せ持っている電磁弁は、１つの弁に複合的機能を持たせることができるので、いわゆるカートリッジ弁を中心として様々な構成のものが発明されている。図１０は、従来技術に係るスプール・ポペット一体型弁体の断面図である。図１０において、１００は増速弁、１０１はスプール・ポペット一体型弁体、１０２はポペット弁体部、１０３は円錐台状面、１０４はスプール部、１０５は油路構成部材、１０６及び１０７はポート、１０８及び１０９はスプリング、１１０は貫通孔である。
【０００３】
図１０は、特開２０１５−１８３７２０号公報で開示されているものであり、スプール弁とポペット弁との構成を併せ持つスプール・ポペット一体型弁体が装着された増速弁１００である。増速弁１００は、図１０に示すように、油路構成部材１０５の内部に油路として形成された貫通孔１１０、並びに、ポート１０６及び１０７と、貫通孔１１０と一体に形成されており、さらに貫通孔１１０の内部にスプール・ポペット一体型弁体１０１が配置されている。また、スプール・ポペット一体型弁体１０１は、ポペット弁体部１０２とスプール部１０４とを一直線上に配置しており、全体として棒状の外形を呈している。さらに、スプール・ポペット一体型弁体１０１は、スプリング１０８及び１０９の弾発力によって所定位置に保持されている。外部からの力によって、スプール・ポペット一体型弁体１０１が貫通孔１１０の内部を摺動すると、スプール部１０４を切り換え、ポペット弁体部１０２の円錐台状面１０３と貫通孔１１０に形成された弁座部とが接離することによって油路を開閉する構成となっている。
【０００４】
ところで、上述のような構成の電磁弁においては、ポペット弁体部とスプール部とを一直線上に配置しているので、大型化したときなどに新たな課題が発生していた。例えば、ポペット弁体部とスプール部とを接続する連結部が長くなると、これらの弁体を配置した油路構成部材の中空部（貫通孔）との径のばらつきなどにより、その中空部に配置されたプール・ポペット一体型弁体が本来の方向、つまり設計された方向に対して僅かに傾きを持つ場合がある。この傾きが微少なものであっても、ポペット弁体部と空間との間に微妙な間隙を生じてポペット弁体部のシール性が低下することになる。
【先行技術文献】
【特許文献】
【０００５】
【特許文献１】特開２０１５−１８３７２０号公報
【発明の概要】
【発明が解決しようとする課題】
【０００６】
本発明は、上記課題を解決するために、スプール弁としての構成とポペット弁としての構成を併せ持っている電磁弁において、スプール・ポペット一体型弁体が本来の方向から傾くことを防止可能な電磁弁を提供することを目的とする。
【課題を解決するための手段】
【０００７】
請求項１に記載の発明は、油路として形成された中空部を備えた油路構成部材と、前記油路構成部材の前記中空部に配置されると共に、スプール部と、ポペット弁体部と、該スプール部と該ポペット弁体部とを連結すると共に該スプール部よりも径が小さくなるように形成された連結部と、該連結部の前記ポペット弁体部の近傍となる所定部位に設けられると共に、前記油路構成部材の前記中空部の内周面に当接するように形成された支持用ランド部を備えたスプール・ポペット一体型弁体と、を有することを特徴とする電磁弁である。
【０００８】
請求項２に記載の発明は、請求項１に記載の発明において、前記スプール・ポペット一体型弁体は、前記支持用ランド部が頂部及びその近傍を前記油路構成部材の前記中空部の前記内周面に対応するように、かつ、作動油の流路となるように一部を切り欠いた略正多角形板状に形成されていることを特徴とする電磁弁である。
【０００９】
請求項３に記載の発明は、請求項１又は請求項２に記載の発明において、前記油路構成部材は、第１の油路構成部材と第２の油路構成部材とからなり、前記スプール・ポペット一体型弁体は、前記ポペット弁体部が前記第１の油路構成部材の内部に配置され、前記スプール部及び前記支持用ランド部が前記第２の油路構成部材の内部に配置されていることを特徴とする電磁弁である。
【発明の効果】
【００１０】
請求項１に記載の発明によれば、支持用ランド部によってスプール・ポペット一体型弁体が本来の方向に対して僅かに傾くことを防止する。ひいては、スプール・ポペット一体型弁体のポペット弁体部におけるシール性の低下を防止できる。
【００１１】
請求項２に記載の発明によれば、支持用ランド部が油路構成部材の中空部にある作動油の流れを妨げないので、支持用ランド部を設けていないスプール・ポペット一体型弁体と全く同様に作用し、かつ、副次的な課題を生じることがない。
できる。
【００１２】
請求項３に記載の発明によれば、第１の油路構成部材を第２の油路構成部材に対して組み込んでない状態においてポペット弁体部が当接するシート部が露出した状態となるので、シート部を高精度に加工することが可能になり、さらに電磁弁の組立作業も容易になる。
【図面の簡単な説明】
【００１３】
【図１】本発明の第１の実施の形態に係る電磁弁のスプール・ポペット一体型弁体のＡ−Ａ線断面図である。
【図２】本発明の第１の実施の形態に係る電磁弁のスプール・ポペット一体型弁体を示し、（ａ）は正面図、（ｂ）は側面図である。
【図３】本発明の第１の実施の形態に係る電磁弁のスプール・ポペット一体型弁体を示し、（ａ）は平面面図、（ｂ）は底面図、（ｃ）はＢ−Ｂ線断面図である。
【図４】本発明の第１の実施の形態に係る電磁弁のスプール・ポペット一体型弁体を挿通した第１の油路構成部材を示す断面図である。
【図５】本発明の第１の実施の形態に係る電磁弁の通電状態を示す断面図である。
【図６】本発明の第１の実施の形態に係る電磁弁の通電状態を示す部分拡大断面図である。
【図７】本発明の第１の実施の形態に係る電磁弁の非通電状態を示す部分拡大断面図である。
【図８】本発明の第２の実施の形態に係る電磁弁のスプール・ポペット一体型弁体の断面図である。
【図９】支持用ランド部の変化例を示し、（ａ）及び（ｂ）が３つのランド片を備えた変形例の断面図、（ｃ）は６つのランド片を備えた変形例の断面図、（ｄ）は４つのランド片を備えた変形例の断面図である。
【図１０】従来技術に係るスプール・ポペット一体型弁体の断面図である。
【発明を実施するための形態】
【００１４】
まず、本発明の第１の実施の形態に係る電磁弁のスプール・ポペット一体型弁体について説明する。図１は、本発明の第１の実施の形態に係る電磁弁のスプール・ポペット一体型弁体のＡ−Ａ線断面図である。図１において、１０はスプール・ポペット一体型弁体、２１は第１のランド片、２１ａは外周面、４０はポペット弁体部、４１は円錐台状面、４５はスプール部、４５ａは外周面、４６はスプール部側端面、４８は突出部、５１は第１の間隙領域、５２は第２の間隙領域、５２ａは外周面、５０は連結部、５５は径大油路、５６は径小油路、５７は溝状油路である。また、図２は、本発明の第１の実施の形態に係る電磁弁のスプール・ポペット一体型弁体を示し、（ａ）は正面図、（ｂ）は側面図である。図２において、２０は支持用ランド部であり、その他の符号は図１と同じものを示す。さらに、図３は、本発明の第１の実施の形態に係る電磁弁のスプール・ポペット一体型弁体を示し、（ａ）は平面図、（ｂ）は底面図、（ｃ）はＢ−Ｂ線断面図である。図３において、２２は第２のランド片、２２ａは外周面、２３は第３のランド片、２３ａは外周面であり、その他の符号は図１及び図２と同じものを示す。
【００１５】
なお、本発明の第１の実施の形態に係る電磁弁のスプール・ポペット一体型弁体１０の説明において、「先端側」とは、突出部４８が形成されている側、つまり、図１及び図２において下端側を示すものとし、「基端側」とは、溝状油路５７を設けている側、つまり、図１及び図２において上端側を示すものとする。また、「中心軸」は、スプール・ポペット一体型弁体１０の中心軸を示すものとする。なお、スプール・ポペット一体型弁体１０の「中心軸」方向は、電磁弁を使用している状態において、スプール・ポペット一体型弁体１０の設計上の（本来あるべき）摺動方向と一致している。
【００１６】
本発明の第１の実施の形態に係るスプール・ポペット一体型弁体１０は、後述するように、いわゆるカートリッジ弁としての構成を有する電磁弁に装着される複合型の弁体である。スプール・ポペット一体型弁体１０は、図２に示すように、ポペット弁の弁体として機能するポペット弁体部４０とスプール弁の弁体として機能するスプール部４５とを備えている。また、ポペット弁体部４０とスプール部４５とは、別体の部材を接続したものではなく、同じ母材から形成されている。すなわち、ポペット弁体部４０とスプール部４５とは、図１に示すように、連結部５０によって互いに連結されているが、一体のものである。さらに、スプール・ポペット一体型弁体１０は、図１に示すように、中心軸に沿うように径大油路５５と径小油路５６とから構成される貫通孔が形成されている。さらに、スプール・ポペット一体型弁体１０の基端側の端面であるスプール部側端面４６には、図３（ａ）に示すように、径小油路５６に連続すると共に、スプール部側端面４６を二分割するように溝状油路５７が形成されている。
【００１７】
続けて、スプール・ポペット一体型弁体１０の各部の構成について詳しく説明する。図１及び図２に示すように、連結部５０のポペット弁体部４０の近傍となる部位には、支持用ランド部２０が設けられている。支持用ランド部２０は、スプール・ポペット一体型弁体１０が中心軸方向、つまり本来あるべき摺動方向に対して摺動するように連結部５０を支持する役割を持つ。すなわち、支持用ランド部２０は、連結部５０のポペット弁体部４０のすぐ近傍となる部位に設けられ、さらに、連結部５０の当該部位から周辺に向かってフランジ状に張り出すように形成されている。また、支持用ランド部２０は、ポペット弁体部４０と弁座との接離を妨げることがなく、かつ、第２の油路構成部材６０から離脱することがないように、ポペット弁体部４０との間に第１の間隙領域５１を設けている。なお、支持用ランド部２０とスプール部４５との間の第２の間隙領域５２は、第１の間隙領域５１よりも相当に大きいものとなるが、スプール・ポペット一体型弁体１０のスプール部４５側が中心軸に対して傾く可能性がほとんどないので、支持用ランド部２０を敢えてポペット弁体部４０のすぐ近傍となる部位に設けている。
【００１８】
また、支持用ランド部２０は、図２及び図３（ｃ）に示すように、正三角形板の頂部及びその近傍を後述する第１の油路構成部材の中空部の内周面に対応するように、かつ、作動油の流路となるように一部を切り欠いた略三角形板状に形成されている。すなわち、第１のランド片２１の外周面２１ａ、第２のランド片２２の外周面２２ａ、及び、第３のランド片２３の外周面２３ａは、１つの仮想的な円筒形に含まれるように形成されている。したがって、第１のランド片２１、第２のランド片２２及び第３のランド片２３の互いの間の間隙は作動油を通す油路の一部となる。その一方、外周面２１ａ、外周面２２ａ及びの外周面２３ａは第１の油路構成部材の中空部の内周面に非常に接近しており、スプール・ポペット一体型弁体１０が中心軸に対して傾かないように保持する。なお、本発明は、油圧回路に装着する電磁弁に最も適しているが、水など作動油以外の流体を使用する電磁弁にも適用することが可能である。また、支持用ランド部２０の外径、つまり、この仮想的な円筒形の径は、スプール・ポペット一体型弁体１０が当該第１の油路構成部材の中空部を摺動することを妨げることなく、かつ、スプール・ポペット一体型弁体１０が本来あるべき摺動方向に対して摺動する径になされている。
【００１９】
ポペット弁体部４０は、全体が円錐台形状に近い形状に形成されており、円錐台状面４１が後述する第１の油路構成部材と接離することによって、油路を開閉する。また、ポペット弁体部４０の先端側には、突出部４８が形成されている。突出部４８は、後述するスプリングを保持するために形成されている。スプール部４５は、略円筒形状に形成されており、外周面４５ａが後述するポートを開閉する。連結部５０は、ポペット弁体部４０とスプール部４５とを連結するためのものであるので、ポペット弁体部４０又はスプール部４５よりも外径が相当に小さい。また、支持用ランド部２０の基盤部としての機能も併せ持っている。
【００２０】
さらに、本発明の第１の実施の形態に係るスプール・ポペット一体型弁体１０を装着した電磁弁について説明する。図５は、本発明の第１の実施の形態に係る電磁弁の通電状態を示す断面図である。図５において、６０は第２の油路構成部材、６１はシート角部、６２は中空部、６３ａは第１のポート、６３ｂは第２のポート、６３ｃは第３のポート、６４は先端側端部である。また、図６は、本発明の第１の実施の形態に係る電磁弁の通電状態を示す部分拡大断面図である。図６において、６５は第１の油路構成部材、６５ａは基端側端部、６６ａは第４のポート、６６ｂは第５のポート、６７はスプリング、６８は接続部材、６９はプッシャ、７０は電磁弁、７１はバルブ構成部、７２はソレノイド構成部、７５はプランジャ、７６はコイルであり、その他の符号は図１と同じものを示す。さらに、図７は、  本発明の第１の実施の形態に係る電磁弁の非通電状態を示す部分拡大断面図である。図７において用いた符号は、全て図６と同じものを示す。くわえて、図８は、本発明の第２の実施の形態に係る電磁弁のスプール・ポペット一体型弁体の断面図である。図８において用いた符号は、全て図６と同じものを示す。
【００２１】
電磁弁７０は、カートリッジ弁としての構成を有する電磁弁であり、図５に示すように、バルブ構成部７１とソレノイド構成部７２とを備えている。バルブ構成部７１は、第１の油路構成部材６５と第２の油路構成部材６０との２つの油路構成部材に分割されており、第２の油路構成部材６０が接続部材６８を介してソレノイド構成部７２に連結されている。第２の油路構成部材６０は、図４に示すように、略円筒形状に形成されており、中空部６２にスプール・ポペット一体型弁体１０が配置される。また、中空部６２の内周面は、前述のように、第１のランド片２１の外周面２１ａ、第２のランド片２２の外周面２２ａ、及び、第３のランド片２３の外周面２３ａが極めて近接した状態にある。さらに、第２の油路構成部材６０は、スプール部４５によって開閉される第１のポート６３ａ、第２のポート６３ｂ及び第３のポート６３ｃと、ポペット弁体部４０が当接することによって開閉されるシート角部６１を備えている。
【００２２】
第１の油路構成部材６５は、図５に示すように、基端側端部６５ａをかしめで第２の油路構成部材６０の先端側端部６４に接続することによって、第２の油路構成部材６０と一体的に設けられている。油路構成部材は、部品点数の削減という観点から１つの構成部材にすることが一般的である。本発明では、２つの油路構成部材に分割して、シート角部６１が第２の油路構成部材６０の端部に位置するように構成している。このように構成したことによって、ポペット弁体部４０が当接するシート角部６１が手前側に露出した状態となるので、シート角部６１を高精度に加工することが可能になる。したがって、スプール・ポペット一体型弁体１０の傾きを防止することに加えて、ポペット弁体部４０とシート角部６１とが隙間なく接するようにするので、シール性がさらに向上する。さらに、２つの油路構成部材に分割したことから、電磁弁７０の組立作業やメンテナンス作業も容易になるという副次的な効果もある。なお、シート部は、必ずしも角部である必要はなく、テーパ面や曲面であってもよい。
【００２３】
また、第１の油路構成部材６５は、第４のポート６６ａ及び第５のポート６６ｂが形成されると共に、内部にスプール・ポペット一体型弁体１０のポペット弁体部４０とスプリング６７とが配置されている。スプリング６７は、ソレノイド構成部７２への通電を停止したときに、スプール・ポペット一体型弁体１０を基端側に押し戻すために設けられたものである。また、スプリング６７は、先端側の端部において第１の油路構成部材６５をスプリング受けとし、基端側の端部ではポペット弁体部４０をスプリング受けとしているので、独立したスプリング受けを設けていない。さらに、スプリング６７は、スプール・ポペット一体型弁体１０の突出部４８によって、離脱しないように保持されている。ソレノイド構成部７２は、接続部材６８、プッシャ６９、プランジャ７５及びコイル７６を備えている。接続部材６８は、コイル７６への通電時にプランジャ７５を吸引する固定磁極と、バルブ構成部７１とソレノイド構成部７２とを接続する役割と、プッシャ６９の摺動を支持する役割とを併せ持つ。
【００２４】
プランジャ７５は、コイル７６への通電時にプッシャ６９を先端側に押圧して摺動させる。プッシャ６９が摺動すると、スプール・ポペット一体型弁体１０が先端側に押し出されて、図６に示すように、第２の油路構成部材６０のシート角部６１からポペット弁体部４０の円錐台状面４１が離隔する。コイル７６への通電を停止すると、スプリング６７の弾発力によってスプール・ポペット一体型弁体１０が基端側に押し戻されて、図７に示すように、シート角部６１に円錐台状面４１が接した状態になる。このとき、スプール・ポペット一体型弁体１０には、ポペット弁体部４０の近傍に支持用ランド部２０が設けられていることから、スプール・ポペット一体型弁体１０が中心軸に対して傾くことなく円錐台状面４１がシート角部６１に正しく接する。
【００２５】
続けて、本発明の支持用ランド部の変形例、及び、本発明の第２の実施の形態に係る電磁弁のスプール・ポペット一体型弁体について説明する。図８は、本発明の第２の実施の形態に係る電磁弁のスプール・ポペット一体型弁体の断面図である。図８において、１１はスプール・ポペット一体型弁体、２４は第１のランド片、４２はポペット弁体部、４３は円錐台状面、４７はスプール部、４７ａは外周面、４９は突出部、５８は支持用ランド、８０は連結部、８１は第１の間隙領域、８２は第２の間隙領域、８２ａは外周面、８３は径大油路、８４は径小油路、８５は側方油路である。また、図９は、支持用ランド部の変化例を示し、（ａ）及び（ｂ）が３つのランド片を備えた変形例の断面図、（ｃ）は６つのランド片を備えた変形例の断面図、（ｄ）は４つのランド片を備えた変形例の断面図である。図９において、２４は第１のランド片、２５は第２のランド片、２６は第３のランド片、２７は第１のランド片、２８は第２のランド片、２９は第３のランド片、３０は第１のランド片、３１は第２のランド片、３２は第３のランド片、３３は第４のランド片、３４は第５のランド片、３５は第６のランド片、３６は第１のランド片、３７は第２のランド片、３８は第３のランド片、３９は第４のランド片であり、その他の符号は図１と同じものを示す。
【００２６】
ところで、本発明の支持用ランド部は、図３（ｃ）に示したものに限られるものではない。例えば、図９（ａ）に示す第１のランド片２４、第２のランド片２５及び第３のランド片２６のように、３つのランド片を扇形板状に形成してもよい。また、図９（ｂ）に示す第１のランド片２７、第２のランド片２８及び第３のランド片２９のように、３つのランド片同士の間隙を円弧状の切り欠き部にしてもよい。さらに、図３（ｃ）の第１のランド片２１、第２のランド片２２及び第３のランド片２３が正三角形を基礎形状としているのに対して、図９（ｃ）に示す第１のランド片３０、第２のランド片３１、第３のランド片３２、第４のランド片３３、第５のランド片３４及び第６のランド片３５のように、正六角形を基礎形状とする６つのランド片を形成してもよい。また、図９（ｄ）に示す第１のランド片３６、第２のランド片３７、第３のランド片３８及び第４のランド片３９のように、正四角形を基本形状としてもよい。すなわち、本発明の支持用ランド部は１つの形状に限られるものではないが、スプール・ポペット一体型弁体の傾きを防止するという観点から、油路構成部材の中空部の内周面に当接する部分が等間隔で配置されていることが望ましい。また、支持用ランド部が作動油の流れを妨げないようにするという観点からは、ランド片同士の間隙、つまり開口している領域が広いことが望ましいと言える。
【００２７】
さらに、本発明の第２の実施の形態に係るスプール・ポペット一体型弁体１１は、図９（ａ）に示す第１のランド片２４、第２のランド片２５及び第３のランド片２６を５８は支持用ランド５８としたものである。スプール・ポペット一体型弁体１１は、図８に示すように、ポペット弁体部４２とスプール部４７とを備え、さらにこれらを互いに連結する連結部８０を備えている。第２の間隙領域８２の外周面８２ａは、スプール部４７の外周面４７ａよりもかなり径が小さい。さらに、連結部８０には、スプール・ポペット一体型弁体１０の第１の間隙領域５１及び支持用ランド部２０と同様に、第１の間隙領域８１をおいて支持用ランド５８が設けられている。また、スプール・ポペット一体型弁体１１は、中心軸に沿って径大油路８３及び径小油路８４が形成され、径小油路８４から側方油路８５が分岐している。ポペット弁体部４２の突出部４９は、スプール・ポペット一体型弁体１０の突出部４８と同様にスプリングを保持する役割を持つ。
【００２８】
以上のように、本発明の第１及び第２の実施の形態に係るスプール・ポペット一体型弁体は、ポペット弁体部の近傍に設けた支持用ランド部によってスプール・ポペット一体型弁体が本来の方向に対して僅かに傾くことを防止でき、ひいては、スプール・ポペット一体型弁体のポペット弁体部におけるシール性の低下を防止できる。また、支持用ランド部は、正多角形を基本形状とした板状体に形成され、さらにランド片同士の間に間隙を設けたので、支持用ランド部が油路構成部材の中空部にある作動油の流れを妨げず、支持用ランド部を設けていないスプール・ポペット一体型弁体と全く同様に作用し、かつ、副次的な課題を報じることがない。さらに、油路構成部材が第１の油路構成部材と第２の油路構成部材とから構成されるようにしたので、第１の油路構成部材を第２の油路構成部材に対して組み込んでない状態においてポペット弁体部が当接するシート部が露出した状態となるので、シート部を高精度に加工することが可能になり、さらに電磁弁の組立作業も容易になる。
【００２９】
本発明は以上に説明した内容に限定されるものではなく、例えば、ポペット弁体部又はスプール部が複数個設けられている、あるいは、プランジャにシャフトが設けられているなど、各請求項に記載した範囲を逸脱しない限りにおいて種々の構成にすることが可能である。
【符号の説明】
【００３０】
１０    スプール・ポペット一体型弁体
１１    スプール・ポペット一体型弁体
２０    支持用ランド部
２１    第１のランド片
２１ａ  外周面
２２    第２のランド片
２２ａ  外周面
２３    第３のランド片
２３ａ  外周面
２４    第１のランド片
２５    第２のランド片
２６    第３のランド片
２７    第１のランド片
２８    第２のランド片
２９    第３のランド片
３０    第１のランド片
３１    第２のランド片
３２    第３のランド片
３３    第４のランド片
３４    第５のランド片
３５    第６のランド片
３６    第１のランド片
３７    第２のランド片
３８    第３のランド片
３９    第４のランド片
４０    ポペット弁体部
４１    円錐台状面
４２    ポペット弁体部
４３    円錐台状面
４５    スプール部
４５ａ  外周面
４６    スプール部側端面
４７    スプール部
４７ａ  外周面
４８    突出部
４９    突出部
５０    連結部
５１    第１の間隙領域
５２    第２の間隙領域
５２ａ  外周面
５５    径大油路
５６    径小油路
５７    溝状油路
５８    支持用ランド
６０    第２の油路構成部材
６１    シート角部
６２    中空部
６３ａ  第１のポート
６３ｂ  第２のポート
６３ｃ  第３のポート
６４    先端側端部
６５    第１の油路構成部材
６５ａ  基端側端部
６６ａ  第４のポート
６６ｂ  第５のポート
６７    スプリング
６８    接続部材
６９    プッシャ
７０    電磁弁
７１    バルブ構成部
７２    ソレノイド構成部
７５    プランジャ
７６    コイル
８０    連結部
８１    第１の間隙領域
８２    第２の間隙領域
８２ａ  外周面
８３    径大油路
８４    径小油路
８５    側方油路
１００  増速弁
１０１  カートリッジ弁体
１０２  ポペット弁体部
１０３  円錐台状面
１０４  スプール部
１０５  油路構成部材
１０６  ポート
１０７  ポート
１０８  スプリング
１０９  スプリング
１１０  貫通孔
【図１】
2020063797.tif 000003
【図２】
2020063797.tif 000004
【図３】
2020063797.tif 000005
【図４】
2020063797.tif 000006
【図５】
2020063797.tif 000007
【図６】
2020063797.tif 000008
【図７】
2020063797.tif 000009
【図８】
2020063797.tif 000010
【図９】
2020063797.tif 000011
【図１０】
2020063797.tif 000012